(57)【要約】      （修正有）【課題】簡素な構成で照明装置の落下を抑制することができる照明装置用の取付部材を提供する。【解決手段】照明装置用の取付部材６０は、係止部を有し、被固定部５０に取り付けられる第１の取付部材７０と、係止部に引っ掛けられた状態で係止される引掛部８４を有し、照明装置１０が取り付けられて第１の取付部材７０に固定される第２の取付部材８０と、を備えている。また、第２の取付部材８０は、引掛部８４が係止部に引っ掛けられた状態で第１の取付部材７０に固定されている。そして、第１の取付部材７０と第２の取付部材８０との固定が解除された際に、引掛部８４と係止部との係止によって、第２の取付部材８０が第１の取付部材７０に垂下状態で保持される。【選択図】図６
2020087743.tif 000002
【特許請求の範囲】
【請求項１】
係止部を有し、被固定部に取り付けられる第１の取付部材と、
前記係止部に引っ掛けられた状態で係止される引掛部を有し、照明装置が取り付けられて前記第１の取付部材に固定される第２の取付部材と、
を備え、
前記第２の取付部材は、前記引掛部が前記係止部に引っ掛けられた状態で前記第１の取付部材に固定されており、
前記第１の取付部材と前記第２の取付部材との固定が解除された際に、前記引掛部と前記係止部との係止によって、前記第２の取付部材が前記第１の取付部材に垂下状態で保持されるようにしたことを特徴とする照明装置用の取付部材。
【請求項２】
前記被固定部がケーブルラックであることを特徴とする請求項１に記載の照明装置用の取付部材。
【請求項３】
前記ケーブルラックは、
一対の親桁と、
前記一対の親桁間に跨設される複数の子桁と、
を備え、
前記第１の取付部材は、
前記子桁が下方に配置するように前記ケーブルラックを配置した状態で、前記親桁の内側面に沿って上下方向に摺動する摺動部と、
前記摺動部を下方に摺動させることで、前記親桁の上端に嵌合する嵌合部と、
を備え、
前記嵌合部を前記親桁の上端に嵌合させた状態で、前記係止部が前記親桁よりも下方に配置されることを特徴とする請求項２に記載の照明装置用の取付部材。
【請求項４】
前記第２の取付部材は、前記引掛部が前記係止部に引っ掛けられた状態で前記第１の取付部材に回動可能に保持されることを特徴とする請求項１〜３のうちいずれか１項に記載の照明装置用の取付部材。
【発明の詳細な説明】
【技術分野】
【０００１】
本開示は、照明装置用の取付部材に関する。
【背景技術】
【０００２】
従来、照明装置用の取付部材として、構造物に取り付けられた固定部材と、照明装置に取り付けられた取付部材と、を備え、取付部材を固定部材に取り付けることで、照明装置を構造物に設置するようにしたものが知られている（例えば、特許文献１参照）。
【０００３】
この特許文献１では、固定部材と取付部材とがワイヤによって接続されており、取付部材が固定部材から外れてしまった際に、照明装置が落下してしまうのを抑制できるようにしている。
【先行技術文献】
【特許文献】
【０００４】
【特許文献１】特開２００８−２１８０９３号公報
【発明の概要】
【発明が解決しようとする課題】
【０００５】
しかしながら、上記従来の技術のように、ワイヤを用いて照明装置の落下を抑制できるようにすると構成が複雑化してしまう。
【０００６】
そこで、本開示は、より簡素な構成で照明装置の落下を抑制することができる照明装置用の取付部材を得ることを目的とする。
【課題を解決するための手段】
【０００７】
本開示にかかる照明装置用の取付部材は、係止部を有し、被固定部に取り付けられる第１の取付部材と、前記係止部に引っ掛けられた状態で係止される引掛部を有し、照明装置が取り付けられて前記第１の取付部材に固定される第２の取付部材と、を備えている。また、前記第２の取付部材は、前記引掛部が前記係止部に引っ掛けられた状態で前記第１の取付部材に固定されている。そして、前記第１の取付部材と前記第２の取付部材との固定が解除された際に、前記引掛部と前記係止部との係止によって、前記第２の取付部材が前記第１の取付部材に垂下状態で保持されるようにした。
【発明の効果】
【０００８】
本開示によれば、より簡素な構成で照明装置の落下を抑制することができる照明装置用の取付部材を得ることができる。
【図面の簡単な説明】
【０００９】
【図１】本実施形態にかかる照明装置を、ケーブルラックを介してトンネルに設置した状態を模式的に示す図である。
【図２】本実施形態にかかる照明装置をケーブルラックに取り付けた状態を模式的に示す図である。
【図３】本実施形態にかかる照明装置を模式的に示す図であって、照明装置を上側から視た斜視図である。
【図４】本実施形態にかかる照明装置を模式的に示す分解斜視図である。
【図５】本実施形態にかかるＬＥＤモジュールを模式的に示す図であって、（ａ）はＬＥＤモジュールの斜視図、（ｂ）はＬＥＤモジュールの分解斜視図である。
【図６】本実施形態にかかる照明装置のケーブルラックへの取付状態を拡大して示す斜視図である。
【図７】本実施形態にかかる第１の取付部材を模式的に示す斜視図である。
【図８】本実施形態にかかる第２の取付部材を模式的に示す斜視図である。
【図９】本実施形態にかかる照明装置用の取付部材をケーブルラックに取り付ける方法の一例を示す図であって、第１の取付部材の摺動部をケーブルラックの側壁の内面に当接させた状態を模式的に示す図である。
【図１０】本実施形態にかかる照明装置用の取付部材をケーブルラックに取り付ける方法の一例を示す図であって、第１の取付部材の嵌合部をケーブルラックの側壁の上端に嵌合させた状態を模式的に示す図である。
【図１１】本実施形態にかかる照明装置用の取付部材をケーブルラックに取り付ける方法の一例を示す図であって、第１の取付部材の係止部に第２の取付部材の引掛部を引っ掛けた状態を模式的に示す図である。
【図１２】本実施形態にかかる照明装置用の取付部材をケーブルラックに取り付ける方法の一例を示す図であって、第１の取付部材と第２の取付部材とを固定した状態を模式的に示す図である。
【発明を実施するための形態】
【００１０】
以下、本実施にかかる照明装置用の取付部材について、図面を参照しながら詳細に説明する。なお、以下では、照明装置として、トンネル内の天井面等に設置される屋外用の照明装置を例示するとともに、光源としてＬＥＤ光源を用いたものを例示する。また、以下では、トンネルの天井面に設置した状態におけるケーブルラックの天井面側をケーブルラックの上側として説明する。また、照明装置の照射部側を照明装置の上側として説明する。
【００１１】
本実施形態にかかる取付部材（照明装置用の取付部材）６０は、照明装置１０を被固定部に取り付けるために用いられるものである。本実施形態では、図１および図２に示すように、トンネル１の天井面１ａに設置されたケーブルラック（被固定部）５０に照明装置１０を、取付部材６０を介して取り付けた構成を例示している。この照明装置１０は、トンネル１内の路面２を照射することで、トンネル１内における車両３の走行を支援するものである。
【００１２】
トンネル１内には、複数の照明装置１０が道路の延伸方向に沿って略等間隔に配置されており、これらの複数の照明装置１０には、商用電源等の外部電源から電力が供給されるようになっている。複数の照明装置１０への電力の供給は、例えば、ケーブル９５を用いて行うことができる。このようなケーブル９５は、トンネル１の天井面１ａに設置されたケーブルラック５０に敷設されている（図１参照）。
【００１３】
このケーブルラック５０は、電力幹線や通信幹線等の各種ケーブル類を敷設して配線する際に用いられるものであり、本実施形態では、ブラケット４０を介してトンネル１の天井面１ａに設置されている（図１参照）。なお、ケーブルラック５０の設置方法は図１に示す方法に限られるものではなく、例えば、天井面１ａからケーブルラック５０を吊り下げることで、トンネル１の天井面１ａにケーブルラック５０を設置するようにしてもよい。
【００１４】
また、本実施形態では、ケーブルラック５０として、ケーブル９５の敷設方向に延びる一対の親桁５１，５１と、一対の親桁５１，５１の間に、ほぼ一定の間隔で架け渡された複数の子桁５２と、を有する梯子型のケーブルラックが用いられている。このケーブルラック５０は、例えば、アルミニウム鋼板、塗装鋼板、高耐食鋼板、ステンレス鋼板等を用いて形成することができる。
【００１５】
本実施形態では、ケーブルラック５０は、子桁５２が下側に位置するようにした状態、かつ、ケーブル９５の敷設方向（ケーブルラック５０の長手方向）を道路の延伸方向と略一致させた状態でブラケット４０上に固定されている。そして、図２に示すように、一対の親桁５１，５１のうちの一方の親桁５１に取り付けられた取付部材６０に照明装置１０が取り付けられている。
【００１６】
この照明装置１０は、図３に示すように、水平方向に細長い略直方体状の照明装置本体２０を備えており、照明装置本体２０はケース２１を備えている。このケース２１の内部には、図４に示すように、収容空間Ｓ１が形成されており、ケース２１の収容空間Ｓ１内には光源３０が配置されている。そして、光源３０から出射した光が、ケース２１に形成された照射部（後述する光源室側のパネル２２）からケース２１の外部に照射されるようになっている。
【００１７】
また、本実施形態では、照明装置１０は、照射部（光源室側のパネル２２）が斜め下方（下側かつ路面２の内側）を向くようにした状態で、ケーブルラック５０に取り付けられている。すなわち、照明装置１０は、照射部（光源室側のパネル２２）から照射される光が路面２に向けて照射されるようにした状態で、ケーブルラック５０に取り付けられている（図１および図２参照）。
【００１８】
このように、本実施形態では、ケース２１の長手方向を道路の延伸方向に略一致させるとともに、照射部（光源室側のパネル２２）を路面２に向けた状態で、各照明装置１０をトンネル１の天井面１ａに設置している。そして、各照明装置１０の照射部（光源室側のパネル２２）を介して照射された光によって道路の路面２やトンネル１内の車両３が照射されるようにしている。
【００１９】
次に、本実施形態にかかる照明装置１０の具体的な構成について、主に図３〜図５を用いて説明する。
【００２０】
照明装置１０は、上述したように、略直方体状をした照明装置本体２０を備えており、この照明装置本体２０は、開口部２１ａを有するケース２１を備えている。ケース２１は、例えば、アルミニウム等の金属材料を用いて形成することができ、長手方向の両端が開口したベース部２１１と、ベース部２１１の長手方向の開口を塞ぐ一対のエンドパネル２１２，２１２とで上方に開口した略箱状に形成されている。
【００２１】
本実施形態では、ベース部２１１は、底壁部２１１ａおよび一対の側壁部２１１ｂとで略Ｕ字状に形成されている。そして、一対のエンドパネル２１２，２１２がベース部２１１の長手方向の両側の開口をそれぞれ塞いでおり、一対のエンドパネル２１２，２１２がケース２１の長手方向の端部となっている。
【００２２】
また、ケース２１に形成された開口部２１ａが、透光性を有し、光源部３０から出射した光を透過可能なパネル２２によって開閉可能に閉塞されるようにしている。
【００２３】
パネル２２は、透明な平板であり、開口部２１ａよりも一回り小さい長方形状をしている。このパネル２２は、例えば、ガラス、樹脂材料等を用いて形成することができる。
【００２４】
そして、パネル２２の周縁部を、ケース２１における開口部２１ａの周縁領域に外側（上側）から接触させることで、開口部２１ａがパネル２２によって閉塞されるようにしている。パネル２２は、図４に示すように、ボルト９４を用いてケース２１に取り付けられている。すなわち、パネル２２は、ケース２１に取り外し可能に取り付けられている。
【００２５】
また、ケース２１における開口部２１ａの周縁部には段部が形成されており、この段部には防塵用のパッキン２３が配置されている。このように、パッキン２３を介して開口部２１ａをパネル２２によって閉塞させることで、パネル２２とケース２１との間から水や埃等が収容空間Ｓ１内に侵入してしまうのが抑制されるようにしている。
【００２６】
このように、本実施形態では、照明装置本体２０は、上方に開口する開口部２１ａが形成されたケース２１と、開口部２１ａを開閉可能に覆うパネル２２と、を備えている。
【００２７】
そして、ケース２１内に形成された収容空間Ｓ１内には、光源３０が収容されている。さらに、収容空間Ｓ１内には、電源ユニット９０、制御ユニット９１および停電用ブロック９２等の電子部品が収容されている。
【００２８】
具体的には、ケース２１には、長手方向の一方側（図３の右上側）から順に、制御ユニット９１、電源ユニット９０、停電用ブロック９２が配置されており、これらの電子部品の上方に光源３０が配置されている。なお、照明装置１０は、停電時等、外部電源から光源３０への電力の供給が停止した場合に、光源３０に電力を供給可能な蓄電池（図示せず）を備えている。そして、停電時等に、光源３０への電力供給源が蓄電池に切り替えられるようになっている。
【００２９】
光源３０は、電子部品を跨ぐように配置された載置台３２０の上にＬＥＤモジュール３１０を載置することで形成されており、３つの光源３０が、ケース２１の長手方向に沿って並ぶように配置されている（図３および図４参照）。
【００３０】
ＬＥＤモジュール３１０は、図５に示すように、載置台３２０の上に載置される略平板状の基板（基部）３１１と、基板（基部）３１１に実装される複数のＬＥＤ素子（半導体素子）３１２と、を備えている。さらに、ＬＥＤモジュール３１０は、基板（基部）３１１の上に配置されて、ＬＥＤ素子（半導体素子）３１２から出射した光を拡散させるレンズ（光学部材）３１３を備えている。
【００３１】
このような構成とすることで、ＬＥＤ素子（半導体素子）３１２から出射した光は、レンズ（光学部材）３１３によって拡散されて、パネル（照射部）２２からケース２１の外部に照射されるようにしている。なお、光源３０は、主光軸方向が所定の範囲で回動するように収容空間Ｓ１内に収容させるようにしてもよい。
【００３２】
また、ケース２１には、上部のほぼ全域が開口するように開口部２１ａが形成されており、この開口部２１ａから、光源３０、電源ユニット９０、制御ユニット９１および停電用ブロック９２の出し入れが行えるようになっている。
【００３３】
このように、ケース２１は、長手方向を有する中空の直方体状に形成されており、道路の延伸方向に沿う長さと、天井面１ａに沿う水平方向の奥行きと、高さと、を有している。このケース２１の各寸法は、例えば、長さを１５５ｃｍ、奥行きを１６ｃｍ、高さを９．８ｃｍ程度とすることができる。
【００３４】
そして、このような構成をした照明装置１０が、取付部材６０を介して、ケーブルラック５０の親桁５１に取り付けられている。
【００３５】
ケーブルラック５０は、上述したように、一対の親桁５１と、一対の親桁５１，５１の間に、ほぼ一定の間隔で架け渡された複数の子桁５２と、を備えている。
【００３６】
親桁５１は、上下方向に延在する側壁５１１を備えている。この側壁５１１の上端には、一方向に延在する上側フランジ５１２が延設されており、下端には、一方向に延在する下側フランジ５１３が延設されている。
【００３７】
そして、上側フランジ５１２および下側フランジ５１３が内側に突出するように一対の親桁５１を離間配置させた状態で、それぞれの親桁５１の下側フランジ５１３上に複数の子桁５２を跨設することで、梯子型のケーブルラック５０が形成されている。
【００３８】
一方、取付部材６０は、図６に示すように、第１の取付部材７０および第２の取付部材８０を備えている。そして、第１の取付部材７０と第２の取付部材８０とで一方の親桁５１を挟み込んだ状態で、第１の取付部材７０と第２の取付部材８０とを締結することで、取付部材６０がケーブルラック５０に取り付けられている。
【００３９】
第１の取付部材７０は、図７に示すように、１枚の板を折り曲げた形状をしており、例えば、アルミニウム鋼板、塗装鋼板、高耐食鋼板、ステンレス鋼板等を用いて形成することができる。
【００４０】
本実施形態では、第１の取付部材７０は、第２の取付部材８０が締結される固定片７１と、固定片７１に連設され、親桁５１の上側フランジ５１２に嵌合する嵌合部７２と、を備えている。また、第１の取付部材７０は、嵌合部７２に連設されて、親桁５１の側壁５１１の内側面５１１ａに当接する摺動部７３と、摺動部７３に連設されて、第２の取付部材８０が係止される係止片（係止部）７４と、を備えている。
【００４１】
嵌合部７２は、外側壁７２ａ、天壁７２ｂおよび内側壁７２ｃで構成されており、外側壁７２ａと内側壁７２ｃとの間の空間に親桁５１の上側フランジ５１２が嵌り込むようになっている。
【００４２】
そして、外側壁７２ａの下端から水平方向に延在するように固定片７１が突設されており、この固定片７１の略中央部に挿通孔７１ａが板厚方向に貫通するように形成されている。
【００４３】
一方、内側壁７２ｃの下端には摺動部７３が連設されている。本実施形態では、摺動部７３は、内側壁７２ｃの下端から略水平方向に延在する上壁７３ａと、上壁７３ａの先端から下方に向けて延設された側壁７３ｂと、側壁７３ｂの下端から略水平方向に延在する下壁７３ｃと、を備えている。
【００４４】
この摺動部７３は、親桁５１の側壁５１１の内側面５１１ａに沿って上下方向に摺動するものであって、側壁７３ｂの外面が側壁５１１の内側面５１１ａに摺接する摺動面７３ｄとなっている。そして、摺動部７３を側壁５１１の内側面５１１ａに沿って上下方向に摺動させることで、上側フランジ５１２が嵌合部７２に嵌合したり、上側フランジ５１２の嵌合部７２からの嵌合が解除されたりするようになっている。
【００４５】
また、本実施形態では、上側フランジ５１２を嵌合部７２に嵌合させた状態で、下壁７３ｃの下面７３ｅが下側フランジ５１３の上面５１３ａに当接するように摺動部７３を形成している。
【００４６】
係止片７４は、摺動部７３の下壁７３ｃの先端から下方に延在するように連設されており、下部が上部よりも幅広となるように形成されている。すなわち、係止片７４は、上部の幅狭部７４ａと下部の幅広部７４ｂとを有する形状をしている。なお、幅広部７４ｂの略中央部には、挿通孔７４ｃが板厚方向に貫通するように形成されている。
【００４７】
そして、係止片７４は、嵌合部７２を親桁５１の上側フランジ５１２に嵌合させた状態で、幅狭部７４ａの下部が親桁５１の下側フランジ５１３よりも下方に配置されるようになっている。すなわち、幅広部７４ｂの肩部７４ｄと下側フランジ５１３との間に空間が形成されるようにしている。
【００４８】
第２の取付部材８０は、図８に示すように、１枚の板を折り曲げた形状をしており、例えば、アルミニウム鋼板、塗装鋼板、高耐食鋼板、ステンレス鋼板等を用いて形成することができる。
【００４９】
本実施形態では、第２の取付部材８０は、第１の取付部材７０の固定片７１が締結される固定片８１と、固定片８１に連設され、親桁５１の側壁５１１の外側面５１１ｂに当接する当接部８２と、を備えている。また、第２の取付部材８０は、当接部８２に連設され、照明装置１０が取り付けられる取付片８３と、当接部８２に連設されて、第１の取付部材７０の係止片に引っ掛けられた状態で係止される引掛部８４と、を備えている。
【００５０】
固定片８１は、上下方向に延在する当接部８２の上端から水平方向に延在するように突設されており、この固定片８１の略中央部に挿通孔８１ａが板厚方向に貫通するように形成されている。
【００５１】
取付片８３は、当接部８２の幅方向（親桁５１に取り付けた状態におけるケーブルラック５０の長手方向）の一端から突設されており、この取付片８３には、長孔８３ａ、丸孔８３ｂおよび略長方形状の角孔８３ｃが板厚方向に貫通するように形成されている。
【００５２】
引掛部８４は、当接部８２の下端から水平方向に延在するように突設された連結片８４ａと、連結片８４ａの先端から上方に立ち上がるように連設された延設片８４ｂと、を備えている。なお、延設片８４ｂの略中央部には、挿通孔８４ｃが板厚方向に貫通するように形成されている。さらに、延設片８４ｂの幅方向（親桁５１に取り付けた状態におけるケーブルラック５０の長手方向）の両端からは、一対の引っ掛け爪８４ｄが、当接部８２に向けて略水平方向に延在するように突設されている。
【００５３】
次に、取付部材６０をケーブルラック５０に取り付ける方法の一例を、主に図９〜図１２を用いて説明する。
【００５４】
まず、図９に示すように、ケーブルラック５０の一方の親桁５１の内側に第１の取付部材７０を配置する。このとき、摺動部７３の摺動面７３ｄを側壁５１１の内側面５１１ａに当接させて、上側フランジ５１２の上方に嵌合部７２を位置させる。
【００５５】
次に、摺動部７３を側壁５１１の内側面５１１ａに沿って下方に摺動させる。すなわち、摺動部７３の摺動面７３ｄを側壁５１１の内側面５１１ａに摺接させながら、第１の取付部材７０を下方に移動させる。
【００５６】
このとき、第１の取付部材７０は、図１０に示すように、上側フランジ５１２が嵌合部７２に嵌合し、下壁７３ｃの下面７３ｅが下側フランジ５１３の上面５１３ａに当接するまで下方に移動させる。こうすることで、第１の取付部材７０がケーブルラック５０の一方の親桁５１に固定される。
【００５７】
次に、図１１に示すように、第２の取付部材８０の一対の引っ掛け爪８４ｄを、係止片７４の幅方向両側の肩部７４ｄにそれぞれ引っ掛ける。こうすることで、第２の取付部材８０の引掛部８４が、第１の取付部材７０の係止片７４に引っ掛けられた状態で係止される。このとき、第２の取付部材８０は、引掛部８４が係止片７４に引っ掛けられた状態で第１の取付部材７０に回動可能に保持されている。
【００５８】
そして、引掛部８４を係止片７４に係止させた状態で、第２の取付部材８０を当接部８２が側壁５１１の外側面５１１ｂに当接するまで上方に回動させ、固定片８１を固定片７１に重ね合わせつつ、延設片８４ｂを係止片７４の幅広部７４ｂに重ね合わせる。このように、固定片８１を固定片７１に重ね合わせつつ、延設片８４ｂを係止片７４の幅広部７４ｂに重ね合わせることで、挿通孔７１ａと挿通孔８１ａとが連通し、挿通孔７４ｃと挿通孔８４ｃとが連通する。
【００５９】
その後、挿通孔７１ａおよび挿通孔８１ａにボルト９６を挿通してナット９７で締結し、挿通孔７４ｃおよび挿通孔８４ｃにボルト９６を挿通してナット９７で締結する。
【００６０】
こうすることで、取付部材６０が、第１の取付部材７０と第２の取付部材８０とで一方の親桁５１を挟み込んだ状態でケーブルラック５０に取り付けられる（図１２参照）。
【００６１】
このように、本実施形態では、第２の取付部材８０は、引掛部８４が係止片７４に引っ掛けられた状態で第１の取付部材７０に固定されている。
【００６２】
そして、この取付部材６０には照明装置１０が取り付けられている。本実施形態では、ケース２１の長手方向の両端にブラケット９３がそれぞれ取り付けられている。そして、各ブラケット９３を、図示せぬボルトおよびナットを用いて第２の取付部材８０の取付片８３にそれぞれ締結させることで、照明装置１０がケーブルラック５０に取り付けられるようにしている（図６参照）。
【００６３】
具体的には、ブラケット９３には、長孔８３ａと連通する挿通孔９３ａと、丸孔８３ｂと連通する挿通孔９３ｂと、角孔８３ｃに挿入される舌片９３ｃとが形成されている。そして、舌片９３ｃを角孔８３ｃに挿入した状態で、挿通孔９３ａが長孔８３ａと連通し、挿通孔９３ｂが丸孔８３ｂと連通するようになっている。
【００６４】
また、本実施形態では、舌片９３ｃは、角孔８３ｃよりも一回り小さくなるように形成されており、角孔８３ｃ内で所定の範囲で回動することができるようになっている。すなわち、舌片９３ｃを角孔８３ｃに挿入してブラケット９３を取付片８３に仮止めした状態で、ブラケット９３を取付片８３に対して、丸孔８３ｂ（挿通孔９３ｂ）を中心として相対的に回動させることができるようになっている。このように、本実施形態では、照明装置１０は、ケーブルラック５０に角度調節可能に取り付けられている。
【００６５】
なお、ブラケット９３の取付片８３への取り付けは、第２の取付部材８０の第１の取付部材７０への取り付け後に行ってもよいし、第２の取付部材８０を第１の取付部材７０に取り付ける前におこなってもよい。
【００６６】
このような構成とすることで、第１の取付部材７０と第２の取付部材８０との固定が解除された際には、図１１に示す状態とすることができる。すなわち、引掛部８４と係止片７４との係止によって、第２の取付部材８０が第１の取付部材７０に垂下状態で保持されるようにすることができるようになる。
【００６７】
したがって、照明装置１０の取り外し作業時等に、第１の取付部材７０と第２の取付部材８０との固定が解除されてしまったとしても、照明装置１０が落下してしまうことを抑制することができるようになる。すなわち、ワイヤを用いずに照明装置１０の落下を抑制することができるようになる。
【００６８】
以上説明したように、本実施形態にかかる取付部材（照明装置用の取付部材）６０は、係止片（係止部）７４を有し、ケーブルラック（被固定部）５０に取り付けられる第１の取付部材７０を備えている。また、取付部材６０は、係止片７４に引っ掛けられた状態で係止される引掛部８４を有し、照明装置１０が取り付けられて第１の取付部材７０に固定される第２の取付部材８０を備えている。
【００６９】
また、第２の取付部材８０は、引掛部８４が係止片７４に引っ掛けられた状態で第１の取付部材７０に固定されている。
【００７０】
そして、第１の取付部材７０と第２の取付部材８０との固定が解除された際に、引掛部８４と係止片７４との係止によって、第２の取付部材８０が第１の取付部材７０に垂下状態で保持されるようにした。
【００７１】
こうすれば、ワイヤを用いることなく照明装置１０の落下を抑制することができるようになる。その結果、より簡素な構成で照明装置１０の落下を抑制することができる照明装置用の取付部材６０を得ることができる。
【００７２】
また、本実施形態では、被固定部がケーブルラック５０である。
【００７３】
こうすれば、各種ケーブル類を敷設して配線するケーブルラック５０を利用して照明装置１０を取り付けることができ、照明装置１０の取り付けがより容易になる。
【００７４】
また、本実施形態では、ケーブルラック５０は、一対の親桁５１，５１と、一対の親桁５１，５１間に跨設される複数の子桁５２と、を備えている。
【００７５】
また、第１の取付部材７０は、子桁５２が下方に配置するようにケーブルラック５０を配置した状態で、親桁５１の内側面５１１ａに沿って上下方向に摺動する摺動部７３を備えている。さらに、第１の取付部材７０は、摺動部７３を下方に摺動させることで、親桁５１の上側フランジ（上端）５１２に嵌合する嵌合部７２を備えている。
【００７６】
そして、嵌合部７２を親桁５１の上側フランジ５１２に嵌合させた状態で、係止片７４が親桁５１よりも下方に配置されるようにしている。
【００７７】
こうすれば、上下方向に移動させるだけで第１の取付部材７０を親桁５１に取り付けることができるため、より容易に第１の取付部材７０を親桁５１に取り付けることができる。また、摺動部７３を親桁５１の内側面５１１ａに沿って摺動させる構成としたため、トンネル１等、作業がしにくい場所での取り付け作業をより容易に行うことができるようになる。
【００７８】
さらに、嵌合部７２を親桁５１の上側フランジ５１２に嵌合させた状態で、係止片７４が親桁５１よりも下方に配置されるようにすることで、より容易に第２の取付部材８０の引掛部８４を係止片７４に引っ掛けることができるようになる。
【００７９】
また、本実施形態では、第２の取付部材８０は、引掛部８４が係止片７４に引っ掛けられた状態で第１の取付部材７０に回動可能に保持されるようになっている。
【００８０】
こうすれば、第１の取付部材７０と第２の取付部材８０との固定が解除された際に、より確実に第２の取付部材８０が第１の取付部材７０に垂下状態で保持されるようにすることができるようになる。
【００８１】
以上、本開示の好適な実施形態について説明したが、上記実施形態には限定されず、種々の変形が可能である。
【００８２】
例えば、上記実施形態では、照明装置として、トンネルの天井面に設置されるトンネル灯を例示したが、これに限定されるものではなく、落下を抑制する必要がある照明装置を被固定部に取り付けるための部材に本開示を適用することも可能である。
【００８３】
また、上記実施形態では、ＬＥＤを光源として用いたものを例示したが、半導体光源等を用いることも可能である。
【００８４】
また、上記実施形態では、係止片７４の肩部７４ｄに一対の引っ掛け爪８４ｄを引っ掛けるようにしたものを例示したが、これに限定されるものではなく、例えば、係止片７４に形成した挿通孔に引っ掛け爪８４ｄを引っ掛けるようにしてもよい。
【００８５】
また、上記実施形態では、ケース２１の長手方向の両端に設けたブラケット９３を第２の取付部材８０に取り付けるようにしたものを例示したが、これに限定されるものではない。例えば、ケース２１を直接第２の取付部材８０の取付片８３に取り付けるようにしてもよいし、ケース２１の長手方向の両端に設けたブラケット９３を第２の取付部材として用いるようにしてもよい。
【００８６】
また、第１の取付部材や第２の取付部材、その他細部のスペック（形状、大きさ、レイアウト等）も適宜に変更可能である。
【符号の説明】
【００８７】
１０  照明装置
５０  ケーブルラック（被固定部）
５１  親桁
５２  子桁
６０  取付部材
７０  第１の取付部材
７２  嵌合部
７３  摺動部
７４  係止片（係止部）
８０  第２の取付部材
８４  引掛部
【図１】
2020087743.tif 000003
【図２】
2020087743.tif 000004
【図３】
2020087743.tif 000005
【図４】
2020087743.tif 000006
【図５】
2020087743.tif 000007
【図６】
2020087743.tif 000008
【図７】
2020087743.tif 000009
【図８】
2020087743.tif 000010
【図９】
2020087743.tif 000011
【図１０】
2020087743.tif 000012
【図１１】
2020087743.tif 000013
【図１２】
2020087743.tif 000014